(57)【要約】【課題】少なくとも１つのファンと磁気トラッキングターゲットとを、同じ空間内に組み込む。【解決手段】本発明は、ファンをロータに固定するために使用される金属インサート（１３）と、前記金属インサートにプラスチック材料を成形して製造したシールドプレート（１７）およびファンブレード（１２）と 、少なくとも１つのセンサに関連して、ロータの回転の磁気トラッキングを保証する磁気ターゲット（１４）とを備えた、磁極を有するロータ（４）に固定されているオルタネータ兼スタータのためのファンに関する。  【選択図】図２Ａ
2007516685.tif 000002
【特許請求の範囲】
【請求項１】
ファンをロータに固定するための金属インサート（１３）と、
前記金属インサートにプラスチック材料を成形して製造したラジアルウェブ（１７）および少なくとも１つのファンブレード（１２）とを備えた、磁極を有するロータ（４）に固定されたオルタネータ兼スタータのためのファンにおいて、
前記ファンは、少なくとも１つのセンサに関連して、ロータの回転の磁気トラッキングを保証する磁気ターゲット（１４）を備えていることを特徴とする、オルタネータ兼スタータのためのファン。  
【請求項２】
前記磁気ターゲット（１４）は、金属インサート（１３）上に成形されていることを特徴とする、請求項１記載のファン。
【請求項３】
前記磁気ターゲット（１４）は、金属インサート（１３）に、接着により接合されていることを特徴とする、請求項１記載のファン。
【請求項４】
前記磁気ターゲット（１４）は、前記金属インサート（１３）の管状部分（２０）に取り付けられていることを特徴とする、請求項１〜３のいずれかに記載のファン。
【請求項５】
前記磁気ターゲット（１４）は、前記管状部分（２０）の内側壁（２４）に取り付けられていることを特徴とする、請求項４記載のファン。
【請求項６】
前記磁気ターゲット（１４）は、前記管状部分（２０）の外側壁（２５）に取り付けられていることを特徴とする、請求項４記載のファン。
【請求項７】
前記磁気ターゲットは、ウェブまたはファンブレードのプラスチック材料と組み合わされた磁気材料を備えていることを特徴とする、請求項１記載のファン。
【請求項８】
前記ターゲットの磁気材料は、フェライトまたは希土類を含むことを特徴とする、請求項１記載のファン。
【請求項９】
前記ターゲットの磁気材料は、磁気プラスチック材料であることを特徴とする、請求項１記載のファン。
【請求項１０】
シュラウドリングを構成するプラスチック材料のクラウン要素（１９）を備え、前記ファンのブレードの少なくとも一部は、前記ウェブから前記クラウン要素まで延びていることを特徴とする、請求項１記載のファン。
【請求項１１】
前記磁気ターゲット（１４）は、カバー（１９）に取り付けられていることを特徴とする、請求項１０記載のファン。
【請求項１２】
前記カバー（１９）の内周部に、前記磁気ターゲット（１４）が取り付けられていることを特徴とする、請求項１０記載のファン。
【請求項１３】
前記ロータの接続ワイヤーのためのパウダーポットを構成していることを特徴とする、請求項１記載のファン。
【請求項１４】
前記ブレードは、複雑な形状となっていることを特徴とする、請求項１記載のファン。
【請求項１５】
前記ファンブレードは、少なくとも２つのステージにわたって離間していることを特徴とする、請求項１記載のファン。
【請求項１６】
前記ファンブレードは、少なくとも２つのステージにわたって離間していることを特徴とする、請求項１記載のファン。
【請求項１７】
ブレードの１グループは、金属インサート上に成形されたプラスチック材料から製造されており、他のブレードは、金属インサートから一体的に突出する金属から製造されていることを特徴とする、請求項１記載のファン。
【発明の詳細な説明】
【技術分野】
【０００１】
本発明は、自動車のオルタネータのためのファンに関し、特にオルタネータ兼スタータのためのファンに関する。オルタネータ兼スタータのロータと共に回転するように、このロータに結合されるようになっているこのファンは、まず第１に、金属インサートを内蔵し、第２に、ロータの回転に従うことができるようにする磁気ターゲットを内蔵しているという特徴を有する。
【０００２】
本発明は、自動車業界の技術分野で実施することができ、特に、自動車用オルタネータおよびオルタネータ兼スタータの技術分野で実施できるものである。
【背景技術】
【０００３】
自動車においては、オルタネータは、自動車のエンジンによって駆動されるインダクタロータの回転運動を、ステータの巻線内に誘導された電流に変換する。オルタネータは、リバーシブルにすることもできる。この場合、オルタネータは、ロータシャフトを介し、自動車のエンジンを共に回転するように駆動する電動モータを構成する。
【０００４】
このリバーシブルなオルタネータは、オルタネータ兼スタータまたはオルタノスタータとも称され、機械エネルギーを電気エネルギーに変換したり、その逆に、電気エネルギーを機械エネルギーに変換したりする。従って、オルタネータ兼スタータは、自動車のエンジンを始動させると共に、例えば空調のための圧縮機を駆動するための補助モータを構成することができ、更に自動車を駆動するためのモータモードでも作動できる。
【０００５】
一般的な観点では、オルタネータ兼スタータは、自動車のエンジンによって駆動され、インダクタでもあるロータの回転運動を、ステータの巻線内に誘導される電流に変換する。ステータの巻線とロータは、特に整流ブリッジを備えた電子回路に接続されている。
【０００６】
自動車の開発過程で、これら電子回路は複雑となり、電子回路が複雑になればなるほど、より多くの熱が発生することになる。従って、電子回路をより効果的に冷却することが必須となっている。
【０００７】
電子回路に接近して位置し、通常、ロータの後端部に設けられたファン（通気装置）によって、冷却が行われている。このファンは、一般にロータと共に回転するようにロータに結合されるよう、オルタネータ兼スタータのロータに固定されており、ファンは、ステータおよびベアリングも冷却するようになっている。
【０００８】
このファンは、従来、金属材料から製造されており、ロータには、溶接、ネジ締結、または当技術分野で公知のその他の締結技術により、インサートが固定されている。金属ファンのブレードは、金属プレートをスタンプ加工し、曲げ加工することによって製造できる簡単な形状とする必要がある。更にファンブレードの数は、金属プレートのサイズに応じて制限される。
【０００９】
次に、電子回路を効果的に冷却できるようにするには、多数のファンブレード、または複雑な形状のブレードに頼らなければならないことが多い。
【００１０】
現在のところ、プラスチック材料を、金属インサートに現場成形することによって製造されるファンが存在している。このプラスチック材料には、金属よりも加工が容易であるという利点がある。これに関連し、プラスチック材料は、成形によるファンを製造できる。従って、金属ファンよりも、ブレードの形状をより複雑にし、かつ変化させたり、ブレードの数を増すことが可能である。
【００１１】
プラスチック製ファンは、ロータに固定された金属インサートに、溶接または他の公知の締結技術により一般に成形される。
【００１２】
本出願人によるフランス国特許公開第FR-A-2673338号公報には、金属インサートに成形されたプラスチックファンの一例が記載されている。この公開公報に記載されているファンは、現場成形作業により、金属インサートに成形され、ファンのラジアルウェブを構成し、特に溶接によりファンをロータに締結するように働く部分に配置されている。ファンのブレードの数、構造および配置は、ファンの用途、および供給が求められる冷却出力に応じて選択される。
【００１３】
更に、オルタネータ兼スタータのようなリバーシブルタイプの装置では、ロータは、一般に三相である多相ステータによって囲まれている。このような多相構造により、正しいタイミングでステータの適当な位相巻線内に電流を注入させるよう、電動モータモードにおいて制御するために、トラッキング手段の補助により、ロータの回転角位置および速度に従わなければならない。
【００１４】
このことは、例えば、フランス国特許公開第FR-2745444号、およびヨーロッパ特許公開第EP-A-0260176号公報に記載されている。かかるトラッキング手段は、一般に磁気タイプのものである。
【００１５】
国際公開第WO01/69762号公報には、磁気トラッキング手段の一例が記載されている。この公開公報では、オルタネータ兼スタータタイプの回転電気機器は、前方支承プレートと後方支承プレートを有する中空支持体を備え、これらの支承プレートは、一体となるように接続されている。各プレートは、中央支承手段を有し、この支承手段を、シャフトの端部が貫通している。
【００１６】
このシャフトは、支持体によって内側に支持された多相ステータによって囲まれた磁極を備えるロータを支持している。支持体は、ターゲットに関連する少なくとも１つのセンサと共に、ロータの回転に従うための磁気手段を備えている。
【００１７】
この回転電気機器では、ターゲットは、軸方向または径方向に読み取りできるターゲットとなっている。このターゲットは、回転できるようにロータに取り付けられたターゲットキャリアに固定されており、このターゲットキャリアは、ロータとこれに隣接する前方支承プレート、または後方支承プレートのいずれかとの間に、軸方向に取り付けられている。
【００１８】
ターゲットキャリアに隣接する前方支承プレートまたは後方支承プレートは、磁気ターゲットの通過を検出するためのセンサを支持している。適当な支承プレート上のターゲットに向くように固定されたホール効果、すなわち磁気抵抗センサは、ターゲットに関連し、ロータの回転をトラッキングすることを保証している。このターゲットは、ターゲットキャリアに位置決めされいる。このターゲットキャリアは、磁気タイプまたは非磁気タイプのいずれでもよい。
【００１９】
このように、この回転電気機器では、ロータの後部に金属ファンが内蔵されている。更にロータの後部には、１つ以上のセンサに関連し、ロータの回転を磁気的にトラッキングできるようにする磁気ターゲットを支持するターゲットキャリアも内蔵されている。
【００２０】
このターゲットキャリアは、板金製部品またはプラスチック材料製部品でもよいし、または板金から製造された金属部品にプラスチック材料を成形した部品でもよい。
【発明の開示】
【発明が解決しようとする課題】
【００２１】
しかし、ファンのブレードは複雑となり、ある大きさの空間を占める。更に、ファンブレードによって駆動される空気流の動きを阻害しないように、ファンから十分離間させながら、ターゲットキャリアをファンの近くに取り付けなければならない。したがって、このようなファンとターゲットキャリアを組み立てるには、オルタネータ兼スタータ内に、所定の大きさの空間が必要である。
【００２２】
更に前記組立体の取り付けをするには、多数の工程を実行しなければならない。すなわち、アンバランスが補正され、ターゲットを有するターゲットキャリアが取り付けられたことを予め想定した状態で、ロータにファンを取り付けなければならない。
【００２３】
より詳細には、本発明の目的は、少なくとも１つのファンと、磁気トラッキングターゲットとを同じ空間内に組み込むことにある。この目的のために、本発明は、例えば磁気プラスチック製の磁気ターゲットを内蔵し、金属インサート上に配置されたプラスチック材料製のオルタネータ兼スタータのためのファンを提供するものである。本発明では、ファンは、独立したターゲットキャリアの使用と取り付けが不要であるターゲットキャリアとして働く。
【課題を解決するための手段】
【００２４】
より詳細には、本発明は、ファンをロータに固定するための金属インサートと、
前記金属インサートにプラスチック材料を成形して製造したラジアルウェブ、および少なくとも１つのファンブレードとを備えた、磁極を有するロータに固定されたオルタネータ兼スタータのためのファンにおいて、
前記ファンは、少なくとも１つのセンサに関連して、ロータの回転の磁気トラッキングを保証する磁気ターゲットを備えていることを特徴とする、オルタネータ兼スタータのためのファンを提供するものである。
【発明を実施するための最良の形態】
【００２５】
図１は、本発明にかかわるファンを有するオルタネータ兼スタータの一例を示す。このオルタネータ兼スタータは、図には示されていない運動伝達装置の一部である運動伝達部材１を備え、この運動伝達装置は、自動車のエンジンとオルタネータ兼スタータとの間に作動自在に挟持されている。この運動伝達部材は、例えば歯付きホイール、プーリーまたは同等品とすることができる。
【００２６】
本電気機器がオルタネータモードで作動するときは、部材１は被動部材となり、回転電気機器がスタータモードで作動するときは、駆動部材となる。
【００２７】
部材１を回転自在シャフト２が部分的に貫通しており、このシャフトの軸方向対称軸線Ｘ−Ｘは、回転電気機器の回転軸線となっている。シャフト２は、例えばクロータイプのロータであるロータ４を支持しており、このロータ４には、励磁巻線が設けられており、励磁巻線の両端は、ワイヤーコネクタを介して、スリップリング６および７に接続されており、これらのリングは、シャフト２の後端部によって支持されている。
【００２８】
ロータ４は、巻線スタータ５によって囲まれており、このスタータは、３相を定めるよう１つ以上の巻線、例えば、３つの巻線を備えている。
【００２９】
ロータ４は、前方支承プレート８と後方支承プレート９によって、少なくとも一部が囲まれており、これらプレートの双方は、例えば圧嵌めにより、シャフト２に固定されている。
【００３０】
１つのファンしか有しないオルタネータ兼スタータもあるが、このファンは、一般に後方ファン１１であり、前方ファン１０よりも強力となっている。本発明によれば、後方ファン１１は、金属インサート１３を備え、この金属インサート上には、現場成形によりプラスチック材料製のラジアルウェブおよびファンブレード１２が形成されている。このファンは、ロータの回転をトラッキングするようになっている磁気ターゲット１４を備えている。この磁気ターゲットは、センサキャリア１５により支持された少なくとも１つのセンサ１６と関連している。
【００３１】
三相電気機器では、これらセンサを３つ設けることが好ましく、センサのいずれも、センサキャリア１５によって支持されている。センサキャリア１５は、後方支承プレート９の底部、より正確には、ターゲット１４に向いた後方支承プレートの面に固定されている。
【００３２】
センサは、磁気的な特性を有する。このセンサは、例えばホール効果センサでもよいし、または抵抗値が磁束に応じて変化するような磁気抵抗タイプのセンサでもよい。
【００３３】
図１に示されたセンサ１６およびセンサキャリア１５は、当業者に公知の従来タイプのものである。
【００３４】
図１に示す例では、センサ１６は、ターゲット１４に軸方向を向く状態で取り付けられており、軸方向に読み出しが行われるよう、センサとターゲットの間には、空気ギャップが設けられている。オルタネータ兼スタータの別の実施例として、読み取りを軸方向とすることができる。
【００３５】
ターゲットとセンサから成るグループにより、ロータの回転を磁気トラッキングすることができる。従って、任意の時間に、ロータの回転角方向の位置、およびその回転速度を知ることができる。
【００３６】
図２Ａおよび図２Ｂは、本発明にかかわるファンの一実施例を示す。図２Ａは、このファンの頂部平面図を示し、図２Ｂは、このファンの側面図を示す。本発明のファンは、金属インサート１３を備え、この金属インサートの上に、プラスチック材料を成形し、ウェブ１７とファンブレード１２とを形成している。ウェブ１７からファンブレードが延びている。
【００３７】
換言すれば、本発明のファンは、インサート１３を備え、このインサートは、例えば板金製であり公知の締結方法、例えばネジ締結、溶接などにより、ロータ４に固定されるようになっている。
【００３８】
図２Ａおよび図２Ｂに示す実施例では、ロータ４へのインサート１３の締結は、溶接によって行われている。この目的のために、ロータにファンを溶接する間、インサートは、溶接材料を受けるようになっている凹部１８を備えている。ロータ４と反対の金属インサート１３の面に、ウェブ１７とファンブレード１２とが現場成形される。インサート上にプラスチック材料を成形する作業中、後で溶接材料を受ける凹部１８をカバーしないように、十分注意を払わなければならない。
【００３９】
別の実施例では、溶接以外の締結手段により、インサートが所定の場所に締結される。このインサートは凹部１８を有しないものでもよいし、または凹部が異なる寸法または異なる位置にあってもよい。インサートには、ファンのウェブが現場成形されるので、このウェブは、インサートと同じ凹部を備えているか、または凹部を備えていない。
【００４０】
本発明のファンは、ロータの回転をトラッキングするためのターゲットを内蔵しているという特徴を有する。図２Ａおよび図２Ｂに示す実施例では、このターゲットは、ファンのウェブ１７に現場成形されるクラウン要素１４の形態をしている。前記ターゲット１４は、成形可能な磁気材料、例えば磁気プラスチックから製造される。
【００４１】
磁気プラスチックとしては、磁気材料、例えばフェライトまたは希土類の粒子含むプラスチック材料を挙げることができる。従って、この材料は、任意の形状とすることができるように成形可能な磁気材料となっている。従って、図２Ａおよび図２Ｂの実施例では、ファンのウェブ上にクラウン要素の形状をした磁気プラスチックが成形される。
【００４２】
また磁気プラスチックがウェブまたはファンブレードを構成するように、インサートに直接磁気プラスチックを成形してもよい。
【００４３】
図４から分かるように、この変形実施例では、金属インサート１２に形成された管状部分２０の一端２１の近くに、磁気プラスチック材料製のターゲット１４が取り付けられている。このターゲットは、この管状部分の外周部２５に取り付けることが好ましく、これによって、ターゲットの外周をより大きくし、検出するロータの位置に関する精度を改善できる。
【００４４】
ロータの位置を決定するように、前記ターゲットに向く状態で、軸方向位置センサ２２または径方向位置センサ２３が取り付けられている。
【００４５】
図示されていない別の変形例では、管状部分、すなわちスリーブの内周部２４にターゲットが設けられる。このような構成によると、磁気プラスチック材料の遠心力に対する抵抗力を大きくできるという利点が得られる。センサのサイズに関する理由から、このような構造では、軸方向に位置決めされるセンサを選択することが好ましい。
【００４６】
第１実施例では、磁気プラスチック材料製の前記ターゲットを予め成形し、その後、プラスチックの端部に設置し、例えばそれ自身公知である接着手段により、スリーブに保持する。
【００４７】
第２実施例では、スリーブの端部の近くにおける現場成形により、磁気プラスチック材料製のターゲットを直接形成する。こうして、磁気ターゲットを形成するように直接磁気プラスチックを成形する。
【００４８】
上記ターゲットを取り付けまたは製造する方法のうちの１つ、またはいくつかにおいて、磁気プラスチックと金属スリーブとの間の空気ギャップをできるだけ小さくすることが望ましい。このように、空気ギャップを極めて小さくすると、ターゲットから磁束の良好なルーピングが生じ、これによって、感度の低いセンサを使用することも可能となるという利点が得られる。
【００４９】
このように、上部に少なくとも１つのブレードと磁気ターゲットとが成形された金属インサートを備えるファンが得られる。
【００５０】
変形例では、金属インサートは少なくとも１つの金属ブレードも備えることができ、ファンは、プラスチック材料製のブレードの第１グループと金属製のブレードの第２グループとを備えている。プラスチックブレードにある程度の機械的強度を与えることが目的であるプラスチックウェブ１７も、インサート上に現場成形される。
【００５１】
本発明の変形例では、磁気ターゲットは、ファンのウェブまたはブレードを形成するプラスチック材料内に、磁気材料、例えばフェライトまたは希土類の要素を導入することによって、磁気ターゲットが製造される。
【００５２】
図２Ａおよび図２Ｂに示す例では、２つの凹部１８の間に、ファンブレードがペアとなって離間している。当然ながら、ブレードの数および分布は、冷却条件に従って異なっていてもよい。
【００５３】
同様に、図２Ａおよび図２Ｂでは、ブレードは、右側に若干カーブした形状となっている。当然ながら、これらブレードの形状は、別の形状でもよい。本発明のファンブレードは、金属インサート上に成形されるプラスチック材料製のファンに対して製造できる最も簡単な形状または最も複雑な形状とすることができる。
【００５４】
同様に、図２Ａおよび図２Ｂに示された例では、ファンは、単一ステージのファンブレードしか有していない。しかしながら、本発明のファンは、二重ステージのブレード、または三重ステージのブレードさえも有することができる。
【００５５】
換言すれば、本発明のファンは、金属インサートに成形されるプラスチック材料製のファンに対して、公知の任意の可能な変形を施こしたものとすることができる。
【００５６】
更にインサートを、金属製、例えば板状スチール製としたことによって、金属インサートに、プラスチック材料を現場成形して製造した公知のファンと共に、これまで使用されて来た公知の締結技術を使用することができる。この金属インサートは、ファンの機械的強度の機能、およびファンをロータに締結する機能以外に、ターゲットを構成する磁気材料の磁気ガイドを行う。
【００５７】
図３Ａおよび図３Ｂは、本発明のファンの別の実施例を示す。上記実施例の場合のように、ファンは、金属インサート１３に成形されたプラスチック材料から製造されている。この実施例では、ファンは、図２Ａおよび図２Ｂに示されるように、ウェブ１７と、ファンブレード１２と、凹部１８とを備えている。
【００５８】
本発明のこの実施例では、換気装置は、シュラウドリング状をしたプラスチック材料製のクラウン要素１９を備えている。これに関連し、一部の回転電気機器では、例えば国際公開第WO2004/040738号公報に記載されているように、オルタネータ兼スタータの後方支承プレート上の中２階位置に放熱器が取り付けられる。この放熱器は、後方支承プレート上に直接取り付けてもよい。この場合、側面から放熱シュラウド内に進入する空気流が、放熱器の中心に向かって放射状に流入することが重要である。
【００５９】
本発明では、ウェブおよびファンブレードと同時に、シュラウドリングを成形することを提案するものである。このシュラウドリングは、ウェブと反対のブレード端部に位置するクラウン要素１９から成っている。このクラウン要素１９は、ファンの頂部またはブレードの先端に対するある種の部分カバーを構成する。この実施例では、ウェブ１７からクラウン要素１９に向かって、ファンブレードが延びている。
【００６０】
変形例では、ファンブレードは、２つのステージに離間しており、ステージのうちの１つのブレードのほうがより大きく広がっている。換言すれば、２ステージのブレードは高さが異なっている。この場合、より高いブレードの頂部に、クラウン要素が位置する。
【００６１】
従って、図３Ａおよび図３Ｂの実施例では、クラウン要素１９が存在していることにより、シュラウドリングの機能は、本来、ファン自身によって実行される。このクラウン要素１９は、ファンのブレードより上での容積損失を防止するという利点も有し、これによって、ファンの作動をより改善している。すなわち、ファンが回転しているときに、ファンによって供給される空気の質量流量を改善している。その結果、ファンによって生じる空気流量が増加するにつれ、ファンのブレードの高さを低くし、それによって、ファンのサイズを小さくすることが可能となっている。
【００６２】
更に、クラウン要素１９は、ファンと同時成形することによって成形される。従って、シュラウドリングを取り付けるのに、別の組み立て作業は不要である。よってシュラウドリングは、ファンの他の部分と同時に取り付けられる。
【００６３】
磁気プラスチック材料を、ファンのウェブに他の形状で成形することも可能である。ウェブまたはファンブレードの一部またはすべてを、磁気プラスチック材料が覆ってもよい。例えば図４における左側ブレードから分かるように、カバーに対して、ターゲット１４を現場で成形するか、または接着方法によって接合することが好ましい。
【００６４】
本発明の変形例では、ファンは、パウダーポットを備えていてもよい。ロータの接続ワイヤーが、集電器に接続されていること、およびファンが回転する間に、これらワイヤーが移動する危険性を防止するように、ワイヤーは、パウダーポット内のパウダーによって固定されている。
【００６５】
このパウダーは、一般にエポキシ樹脂であり、本発明では、パウダーポットは２つのブレードによって境界が定められる位置において、ファンのウェブ上、またはファンのクラウン要素上に設けることができる。
【００６６】
本発明では、オルタネータ兼スタータの回転自在なシャフトをファンの中心とすることができる。これによって、通気装置のセンタリングが容易となり、バランス問題を制限できる。これに関連し、通気装置がプラスチック製であるということにより、通気装置を所定位置に取り付ける前に、ファンをバランスさせることができる。このようにして、バランスの問題を小さくすることができる。
【００６７】
本発明では、回転シャフトに対して、ファン、ターゲットキャリア、およびシュラウドリングをセンタリングすることは、１回の作業で行われる。
【００６８】
ファンは、磁気ターゲットの機能と変形例におけるシュラウドリングまたはパウダーポットの機能を組み合わせながら、種々の複雑な形状をとり得るので、上記の方法で製造した本発明に係わるファンは、高性能となっている。
【００６９】
ファンは、少なくとも３つの部品、すなわち、インサートとファンと磁気ターゲットとを１つに組み合わせているので、取り付けが簡略化されるという利点を有する。
【００７０】
磁気ターゲットを内蔵するファンの取り付けは、金属インサート上で現場成形されるプラスチック製のファンを取り付ける従来の作業と同じ１回の作業で実行される。ファンとシュラウドリングとを１回の成形作業で製造できるので、本発明のファンの製造コストも削減される。更にファン自身は、ターゲットキャリアとして働くので、ターゲットキャリアの製造は不要である。
【００７１】
更にファン、ターゲットおよびシュラウドリングを製造するために、プラスチック材料を使用することによって冷却を改善でき、スタータのシニョンをより効果的に冷却でき、これによって、電磁損失が少なくなり、回転電気機器の性能がより良好となっている。
【図面の簡単な説明】
【００７２】
【図１】本発明に係わるファンを有する自動車のためのオルタネータ兼スタータの軸方向断面図である。
【図２Ａ】本発明に係わるオルタネータ兼スタータのためのファンの頂部平面図である。
【図２Ｂ】本発明に係わるオルタネータ兼スタータのためのファンの側面図である。
【図３Ａ】本発明に係わるオルタネータ兼スタータのためのファンの別の変形例の頂部平面図である。
【図３Ｂ】本発明に係わるオルタネータ兼スタータのためのファンの別の変形例の側面図である。
【図４】本発明の更に別の変形例の別の軸方向断面図である。
【符号の説明】
【００７３】
１    運動伝達部材
２    回転自在なシャフト
４    ロータ
５    ステータ
６、７    スリップリング
８    前方支承プレート
９    後方支承プレート
１０    前方ファン
１１    後方ファン
１２    ファンブレード
１３    金属インサート
１４    磁気ターゲット
１５    センサキャリア
１６    センサ
１７    ウェブ
１８    凹部
２０    管状部分
２１    端部
２２    軸方向位置センサ
２３    径方向位置センサ
２４    内周部
【図１】
2007516685.tif 000003
2007516685.tif 000004
2007516685.tif 000005
【図４】
2007516685.tif 000006
【国際調査報告】
2007516685.tif 000007
2007516685.tif 000008
2007516685.tif 000009
2007516685.tif 000010
2007516685.tif 000011
2007516685.tif 000012